(57)【要約】      （修正有）【課題】装飾板をネジで結合させる必要がなく、外観を良好に保つことができる装飾板組付け構造の提供。【解決手段】電器装置、装飾板２及び少なくとも一つの接合手段３を具え、電器装置は面板１を具え、面板１は外表面１１を具え、並びに外表面１１に少なくとも一つの取付孔１２が凹設され、装飾板２は内側面２１を具え、内側面２１に面板１の該取付孔１２に対応する少なくとも一つの凹孔２２が凹設され、少なくとも一つの接合手段３は、前半部３１と後半部３２を具え、前半部３１は装飾板内側面２１の少なくとも一つの凹孔２２内に緊密に組み合わされ、且つ後半部３２は電器装置の面板１の少なくとも一つの取付孔１２に緊密に組み合わされ、これにより装飾板２が電器装置の面板１の外表面１１に組付けられる。【選択図】図３
2005236246.tif 000002
【特許請求の範囲】
【請求項１】
装飾板組付け構造において、該装飾板組付け構造は、電器装置、装飾板及び少なくとも一つの接合手段を具え、
該電器装置は面板を具え、該面板は外表面を具え、該外表面に少なくとも一つの取付孔が凹設され、
該装飾板は内側面を具え、該内側面に該面板の該取付孔に対応する少なくとも一つの凹孔が凹設され、
該少なくとも一つの接合手段は、前半部と後半部を具え、前半部は装飾板内側面の少なくとも一つの凹孔内に緊密に組み合わされ、且つ後半部は電器装置の面板の少なくとも一つの取付孔に緊密に組み合わされることを特徴とする、装飾板組付け構造。
【請求項２】
請求項１記載の装飾板組付け構造において、電器装置の面板の少なくとも一つの取付孔が貫通孔とされ、且つ少なくとも一つの接合手段にその前半部と後半部を貫通する中央ネジ孔が設けられ、ネジが対応する接合手段の中央ネジ孔にねじ込まれることを特徴とする、装飾板組付け構造。
【請求項３】
請求項１記載の装飾板組付け構造において、電器装置の面板の側辺に側板が隣接され、該側板に少なくとも一つの突起が凸設され、装飾板の側辺に後ろ向きに折り曲げられた曲板が設けられ、該曲板の内側面に電器装置の面板の側板の突起に対応しそれと係合する係止孔が設けられたことを特徴とする、装飾板組付け構造。
【請求項４】
請求項１記載の装飾板組付け構造において、装飾板がアルミ製装飾板とされたことを特徴とする、装飾板組付け構造。
【請求項５】
請求項１記載の装飾板組付け構造において、電器装置がマルチメディアコンピュータとされたことを特徴とする、装飾板組付け構造。
【発明の詳細な説明】
【技術分野】
【０００１】
本発明は一種の装飾板組付け構造に係り、特に電器装置の正面板に装飾板を取り付ける構造に関する。
【背景技術】
【０００２】
一般に電子製品、例えば家庭用ＣＤプレイヤー、及びマルイメディアコンピュータは、往々にしてその正面に余分の装飾板、例えば金属製の装飾板が設計され、電子製品の外観を装飾し、消費者の購入意欲をかき立てている。
【０００３】
しかし、周知の装飾板結合方式はネジによる固定或いは背部の接着剤による固定方式とされ、ネジによる固定は、装飾板に貫通孔を設けて装飾板の正面からネジをねじ込まねばならず、使用者が簡単に装飾板を着脱できるが、外観が悪くなる。接着剤による固定は外観を破壊しないものの、接着力が弱く、薄く軽い装飾板でなければ剥離する可能性がある。また、製品が輸送される過程での温度の変化も接着剤の化学性質を変化させ、装飾板の剥離をもたらしうる。
【発明の開示】
【発明が解決しようとする課題】
【０００４】
本発明の主要な目的は、一種の装飾板組付け構造を提供することにあり、それは、装飾板をネジで結合させる必要がなく、外観を良好に保つことができるものとする。
【０００５】
本発明の別の目的は、一種の装飾板組付け構造を提供することにあり、それは装飾板の結合を更に強固としたものとする。
【課題を解決するための手段】
【０００６】
請求項１の発明は、装飾板組付け構造において、該装飾板組付け構造は、電器装置、装飾板及び少なくとも一つの接合手段を具え、
該電器装置は面板を具え、該面板は外表面を具え、該外表面に少なくとも一つの取付孔が凹設され、
該装飾板は内側面を具え、該内側面に該面板の該取付孔に対応する少なくとも一つの凹孔が凹設され、
該少なくとも一つの接合手段は、前半部と後半部を具え、前半部は装飾板内側面の少なくとも一つの凹孔内に緊密に組み合わされ、且つ後半部は電器装置の面板の少なくとも一つの取付孔に緊密に組み合わされることを特徴とする、装飾板組付け構造としている。
請求項２の発明は、請求項１記載の装飾板組付け構造において、電器装置の面板の少なくとも一つの取付孔が貫通孔とされ、且つ少なくとも一つの接合手段にその前半部と後半部を貫通する中央ネジ孔が設けられ、ネジが対応する接合手段の中央ネジ孔にねじ込まれることを特徴とする、装飾板組付け構造としている。
請求項３の発明は、請求項１記載の装飾板組付け構造において、電器装置の面板の側辺に側板が隣接され、該側板に少なくとも一つの突起が凸設され、装飾板の側辺に後ろ向きに折り曲げられた曲板が設けられ、該曲板の内側面に電器装置の面板の側板の突起に対応しそれと係合する係止孔が設けられたことを特徴とする、装飾板組付け構造としている。
請求項４の発明は、請求項１記載の装飾板組付け構造において、装飾板がアルミ製装飾板とされたことを特徴とする、装飾板組付け構造としている。
請求項５の発明は、請求項１記載の装飾板組付け構造において、電器装置がマルチメディアコンピュータとされたことを特徴とする、装飾板組付け構造としている。
【発明の効果】
【０００７】
簡単に述べると、本発明はネジの使用を回避し、外観を良好に保ち、並びに装飾板の結合を脱落しにくいものとし、且つ背部接着剤の使用を回避し、背部接着剤の温度変化による変質による装飾板脱落の問題を無くしている。
【発明を実施するための最良の形態】
【０００８】
本発明の装飾板組付け構造は、電器装置、装飾板及び少なくとも一つの接合手段を具えている。該電器装置は面板を具え、該面板は外表面を具え、並びに外表面に少なくとも一つの取付孔が凹設され、装飾板は内側面を具え、該内側面に該面板の該取付孔に対応する少なくとも一つの凹孔が凹設され、少なくとも一つの接合手段は、前半部と後半部を具え、前半部は装飾板内側面の少なくとも一つの凹孔内に緊密に組み合わされ、且つ後半部は電器装置の面板の少なくとも一つの取付孔に緊密に組み合わされ、これにより装飾板が電器装置の面板の外表面に組付けられる。
【０００９】
前述の電器装置の電器の種類に制限はなく、例えば、マルチメディアコンピュータ（ＭＣＰＣ）或いはＣＤプレイヤーとされうる。
【００１０】
前述の装飾板組付け構造の装飾板の材質に制限はないが、好ましくはアルミ製装飾板とされる。
【００１１】
前述の装飾板組付け構造の電器装置の面板の少なくとも一つの取付孔の形式に制限はなく、貫通孔とされ得て、且つ、少なくとも一つの接合手段に前半部と後半部を貫通する中央ネジ孔が設けられ、少なくとも一つのネジが少なくとも一つの接合手段の中央ネジ孔内に挿入されて、拡張固定される形態が可能である。
【００１２】
前述の装飾板組付け構造の電器装置の面板の形式に制限はなく、面板の側辺に側板が隣接され、側板に少なくとも一つの突起が凸設され、且つ装飾板の側辺に後ろ向きに折り曲げられた曲板が設けられ、曲板の内側面に少なくとも一つの係止孔が凹設されて電器装置の側板の少なくとも一つの突起との係合により位置決めを形成する形態が可能である。
【実施例１】
【００１３】
図２及び図３に示されるように、本発明の装飾板組付け構造は、マルチメディアコンピュータ（ＭＣＰＣ）を具え、該マルチメディアコンピュータ（ＭＣＰＣ）は面板１を具え、該面板１の側辺に側板１３が隣接し、且つ側板１３に突起１４が凸設され、該面板１は更に外表面１１を具え、並びに外表面１１に貫通孔１２が設けられている。このほか、本発明はアルミ製の装飾板２を具え、該装飾板２の側辺に後ろ向きに折り曲げれた曲板２３が設けられ、該曲板２３の内側面に係止孔２４が凹設され、該係止孔２４は電器装置の面板１の側板１３の突起１４に対応して嵌合し、位置決めを形成する。装飾板２は更に内側面２１を具え、並びに該内側面２１に凹孔２２が設けられ、該凹孔２２は該電器装置の面板１の貫通孔１２に対応する。
【００１４】
図３に示されるように、本発明は更に接合手段３を具え、該接合手段３は前半部３１と後半部３２を具え、そのうち、前半部３１は装飾板２の内側面２１の凹孔２２内に緊密に組み合わされ、且つ後半部３２は電器装置の面板１の貫通孔１２内に緊密に組み合わされ、これにより装飾板が電器装置の面板１の外表面に組付けられる。このほか、接合手段３には中央ネジ孔３３が設けられ、それは前半部３１と後半部３２を貫通し、ネジ４が少なくとも一つの接合手段３の中央ネジ孔３３内にねじ込まれ、接合手段３が拡張固定される（図４参照）。
【００１５】
こうして、装飾板２と面板１の結合に接着剤及びネジが不要とされ、外観の完全性が保持され、並びに外界温度変化の影響による接着剤の化学性質変化による装飾板２の脱落の問題を発生しないものとされる。
以上の実施例は本発明を説明するために提示されたものであり、本実施例及び図面の記載に基づきなされる細部の修飾或いは改変は、いずれも本発明の請求範囲に属するものとする。
【図面の簡単な説明】
【００１６】
【図１】本発明の好ましい実施例の外観図である。
【図２】本発明の好ましい実施例の立体分解図である。
【図３】本発明の好ましい実施例の細部部品分解図である。
【図４】本発明の好ましい実施例の接合手段断面図である。
【符号の説明】
【００１７】
１  面板                １１  外表面                １２  貫通孔
１３  側板              １４  突起                  ２  装飾板
２１  内側面            ２２  凹孔                  ２３  曲板
２４  係止孔            ３  接合手段                ３１  前半部
３２  後半部            ３３  中央ネジ孔            ４  ネジ
【図１】
2005236246.tif 000003
【図２】
2005236246.tif 000004
【図３】
2005236246.tif 000005
【図４】
2005236246.tif 000006